(57)【要約】【課題】交差部分におけるワイヤの巻回位置がより安定化されたコモンモードフィルタを提供する。【解決手段】巻芯部２３と、巻芯部２３に同方向に巻回された第１及び第２のワイヤＷ１，Ｗ２とを備える。巻芯部２３は、第１及び第２の巻回領域Ａ１，Ａ２と、これらの間に位置する第３の巻回領域Ａ３を含む。第１のワイヤＷ１は第１及び第２の巻回領域Ａ１，Ａ２において整列して巻回され、第２のワイヤＷ２は第１及び第２の巻回領域Ａ１，Ａ２において第１のワイヤＷ１上に巻回されている。第１及び第２のワイヤＷ１，Ｗ２は、第３の巻回領域Ａ３において交差しており、且つ、第３の巻回領域Ａ３において少なくとも一部が互いに離間している。これにより、交差部分における２本のワイヤの接触距離が短縮されることから、上方側に位置する第２のワイヤの巻回位置をより安定化させることが可能となる。【選択図】図４
2018120885.tif 000002
【特許請求の範囲】
【請求項１】
巻芯部と、
前記巻芯部に同方向に巻回された第１及び第２のワイヤと、を備え、
前記巻芯部は、軸方向における一端側に位置する第１の巻回領域と、前記軸方向における他端側に位置する第２の巻回領域と、前記第１及び第２の巻回領域の間に位置する第３の巻回領域とを含み、
前記第１のワイヤは、前記第１及び第２の巻回領域において整列して巻回されており、
前記第２のワイヤは、前記第１及び第２の巻回領域において前記第１のワイヤ上に巻回されており、
前記第１のワイヤと前記第２のワイヤは、前記第３の巻回領域において互いに交差しており、且つ、前記第３の巻回領域において少なくとも一部が互いに離間していることを特徴とするコモンモードフィルタ。
【請求項２】
前記第３の巻回領域は、前記軸方向に延在する第１及び第２のエッジと、前記第１のエッジと前記第２のエッジに挟まれた表面領域とを有し、
前記第１のワイヤは、前記表面領域上に位置する第１の区間を含み、
前記第２のワイヤは、前記表面領域上に位置する第２の区間を含み、
前記第１のワイヤの前記第１の区間と前記第２のワイヤの前記第２の区間は、前記表面領域上で互いに交差しており、且つ、前記第１のエッジ上及び前記第２のエッジ上の少なくとも一方において互いに離間していることを特徴とする請求項１に記載のコモンモードフィルタ。
【請求項３】
前記第１のワイヤの前記第１の区間と前記第２のワイヤの前記第２の区間は、前記第１のエッジ上において互いに離間し、前記第２のエッジ上において互いに接触していることを特徴とする請求項２に記載のコモンモードフィルタ。
【請求項４】
前記巻芯部は、前記軸方向に延在し、前記第１のエッジからの距離と前記第２のエッジからの距離が略等しい第３のエッジを有していることを特徴とする請求項３に記載のコモンモードフィルタ。
【請求項５】
前記表面領域は、前記第１のエッジと前記第３のエッジに挟まれた第１の表面領域と、前記第２のエッジと前記第３のエッジに挟まれた第２の表面領域とを含み、
前記第１のワイヤの前記第１の区間と前記第２のワイヤの前記第２の区間は、前記第２の表面領域上において互いに交差することを特徴とする請求項４に記載のコモンモードフィルタ。
【請求項６】
前記巻芯部の前記軸方向における一端に設けられ、前記軸方向と平行な実装面及び上面を有する第１の鍔部と、
前記巻芯部の前記軸方向における他端に設けられ、前記軸方向と平行な実装面及び上面を有する第２の鍔部と、
前記第１の鍔部の前記実装面に設けられ、前記第１及び第２のワイヤの一端がそれぞれ接続された第１及び第２の端子電極と、
前記第２の鍔部の前記実装面に設けられ、前記第１及び第２のワイヤの他端がそれぞれ接続された第３及び第４の端子電極と、をさらに備え、
前記表面領域は、前記実装面と同方向を向いており、
前記巻芯部は、前記実装面よりも前記上面側に偏心して設けられていることを特徴とする請求項２乃至５のいずれか一項に記載のコモンモードフィルタ。
【請求項７】
前記第１及び第２のワイヤは、前記第１の巻回領域において、同一ターンが隣接するよう巻回された第１の巻回ブロックを形成することを特徴とする請求項１乃至６のいずれか一項に記載のコモンモードフィルタ。
【請求項８】
前記第１及び第２のワイヤは、前記第２の巻回領域において、同一ターンが隣接するよう巻回された第２の巻回ブロックを形成することを特徴とする請求項７に記載のコモンモードフィルタ。
【請求項９】
前記第１及び第２のワイヤは、前記第２の巻回領域において、同一ターン間に他のターンが介在するよう巻回された第３の巻回ブロックを形成することを特徴とする請求項８に記載のコモンモードフィルタ。
【請求項１０】
前記第３の巻回ブロックは、前記第１の巻回ブロックと前記第２の巻回ブロックの間に位置することを特徴とする請求項９に記載のコモンモードフィルタ。
【請求項１１】
請求項３に記載のコモンモードフィルタの製造方法であって、
前記第２のワイヤを前記第１のエッジ側から前記第２のエッジ側に巻回することを特徴とするコモンモードフィルタの製造方法。
【発明の詳細な説明】
【技術分野】
【０００１】
本発明はコモンモードフィルタ及びその製造方法に関し、特に、一対のワイヤが途中で交差するタイプのコモンモードフィルタ及びその製造方法に関する。
【背景技術】
【０００２】
コモンモードフィルタは、差動信号線路に重畳するコモンモードノイズを除去するための素子として、携帯電子機器や車載用ＬＡＮなど、多くの電子機器に幅広く使用されている。近年においては、トロイダル型のコアを用いたコモンモードフィルタに代わって、表面実装が可能なドラム型のコアを用いたコモンモードフィルタが主流である（特許文献１参照）。
【０００３】
特許文献１に記載されたコモンモードフィルタは、一対のワイヤを途中で交差させることによって、高周波領域における差動信号の対称性が高められている。
【先行技術文献】
【特許文献】
【０００４】
【特許文献１】特開２０１４−１９９９０４号公報
【発明の概要】
【発明が解決しようとする課題】
【０００５】
しかしながら、一対のワイヤを途中で交差させると、交差部分において上方側に位置するワイヤの巻回位置が不安定となり、高周波特性にばらつきが生じる原因となることがあった。
【０００６】
したがって、本発明は、交差部分におけるワイヤの巻回位置がより安定化されたコモンモードフィルタ及びその製造方法を提供することを目的とする。
【課題を解決するための手段】
【０００７】
本発明によるコモンモードフィルタは、巻芯部と、前記巻芯部に同方向に巻回された第１及び第２のワイヤと、を備え、前記巻芯部は、軸方向における一端側に位置する第１の巻回領域と、前記軸方向における他端側に位置する第２の巻回領域と、前記第１及び第２の巻回領域の間に位置する第３の巻回領域とを含み、前記第１のワイヤは、前記第１及び第２の巻回領域において整列して巻回されており、前記第２のワイヤは、前記第１及び第２の巻回領域において前記第１のワイヤ上に巻回されており、前記第１のワイヤと前記第２のワイヤは、前記第３の巻回領域において互いに交差しており、且つ、前記第３の巻回領域において少なくとも一部が互いに離間していることを特徴とする。
【０００８】
本発明によれば、２本のワイヤが交差する第３の巻回領域において２本のワイヤが離間していることから、十分な交差角を確保することができる。これにより、交差部分における２本のワイヤの接触距離が短縮されることから、上方側に位置する第２のワイヤの巻回位置をより安定化させることが可能となる。
【０００９】
本発明において、前記第３の巻回領域は、前記軸方向に延在する第１及び第２のエッジと、前記第１のエッジと前記第２のエッジに挟まれた表面領域とを有し、前記第１のワイヤは、前記表面領域上に位置する第１の区間を含み、前記第２のワイヤは、前記表面領域上に位置する第２の区間を含み、前記第１のワイヤの前記第１の区間と前記第２のワイヤの前記第２の区間は、前記表面領域上で互いに交差しており、且つ、前記第１のエッジ上及び前記第２のエッジ上の少なくとも一方において互いに離間していることが好ましい。これによれば、第１及び第２のワイヤの離間した部分が第１又は第２のエッジによって保持されることから、ワイヤの巻回位置をより安定化させることが可能となる。
【００１０】
この場合、前記第１のワイヤの前記第１の区間と前記第２のワイヤの前記第２の区間は、前記第１のエッジ上において互いに離間し、前記第２のエッジ上において互いに接触していることが好ましい。かかる構成は、前記第２のワイヤを前記第１のエッジ側から前記第２のエッジ側に巻回する場合において特に効果的である。
【００１１】
さらにこの場合、前記巻芯部は、前記軸方向に延在し、前記第１のエッジからの距離と前記第２のエッジからの距離が略等しい第３のエッジを有していることが好ましい。これによれば、ワイヤと巻芯部の密着性を高めることができる。この場合、前記表面領域は、前記第１のエッジと前記第３のエッジに挟まれた第１の表面領域と、前記第２のエッジと前記第３のエッジに挟まれた第２の表面領域とを含み、前記第１のワイヤの前記第１の区間と前記第２のワイヤの前記第２の区間は、前記第２の表面領域上において互いに交差することがより好ましい。これによれば、エッジからずれた位置でワイヤが交差することから、ワイヤの巻回位置をよりいっそう安定化させることが可能となる。
【００１２】
本発明によるコモンモードフィルタは、前記巻芯部の前記軸方向における一端に設けられ、前記軸方向と平行な実装面及び上面を有する第１の鍔部と、前記巻芯部の前記軸方向における他端に設けられ、前記軸方向と平行な実装面及び上面を有する第２の鍔部と、前記第１の鍔部の前記実装面に設けられ、前記第１及び第２のワイヤの一端がそれぞれ接続された第１及び第２の端子電極と、前記第２の鍔部の前記実装面に設けられ、前記第１及び第２のワイヤの他端がそれぞれ接続された第３及び第４の端子電極と、をさらに備え、前記表面領域は、前記実装面と同方向を向いており、前記巻芯部は、前記実装面よりも前記上面側に偏心して設けられていることが好ましい。これによれば、交差位置における第２のワイヤと実装基板との干渉を防止することが可能となる。
【００１３】
本発明において、前記第１及び第２のワイヤは、前記第１の巻回領域において、同一ターンが隣接するよう巻回された第１の巻回ブロックを形成することが好ましい。これによれば、第１の巻回ブロックにおいて第１のワイヤと第２のワイヤの対称性が高められることから、優れた高周波特性を得ることが可能となる。
【００１４】
この場合、前記第１及び第２のワイヤは、前記第２の巻回領域において、同一ターンが隣接するよう巻回された第２の巻回ブロックを形成することが好ましい。これによれば、第２の巻回ブロックにおいても第１のワイヤと第２のワイヤの対称性が高められることから、優れた高周波特性を得ることが可能となる。
【００１５】
さらにこの場合、前記第１及び第２のワイヤは、前記第２の巻回領域において、同一ターン間に他のターンが介在するよう巻回された第３の巻回ブロックをさらに形成しても構わない。これによれば、実装方向によって異なる高周波特性を得ることが可能となる。前記第３の巻回ブロックは、前記第１の巻回ブロックと前記第２の巻回ブロックの間に位置するものであっても構わない。
【発明の効果】
【００１６】
このように、本発明によれば、交差部分におけるワイヤの巻回位置がより安定化されたコモンモードフィルタ及びその製造方法を提供することが可能となる。
【図面の簡単な説明】
【００１７】
【図１】図１は、本発明の第１の実施形態によるコモンモードフィルタ１０Ａの外観を示す略斜視図である。
【図２】図２は、第１の実施形態における第１のワイヤＷ１の巻回レイアウトを説明するための図である。
【図３】図３は、第１の実施形態における第２のワイヤＷ２の巻回レイアウトを説明するための図である。
【図４】図４は、第１の実施形態における第１及び第２のワイヤＷ１，Ｗ２の巻回レイアウトをより詳細に説明するための模式図である。
【図５】図５（ａ）は図４に示すＡ−Ａ線（第２のエッジＥ２）に沿った略断面図、図５（ｂ）は図４に示すＢ−Ｂ線に沿った略断面図、図５（ｃ）は図４に示すＣ−Ｃ線（第１のエッジＥ１）に沿った略断面図、図５（ｄ）は図４に示すＤ−Ｄ線に沿った略断面図である。
【図６】図６は、比較例による第１及び第２のワイヤＷ１，Ｗ２の巻回レイアウトをより詳細に説明するための模式図である。
【図７】図７（ａ）は図６に示すＡ−Ａ線（第２のエッジＥ２）に沿った略断面図、図７（ｂ）は図６に示すＢ−Ｂ線に沿った略断面図、図７（ｃ）は図６に示すＣ−Ｃ線（第１のエッジＥ１）に沿った略断面図である。
【図８】図８は、第１の実施形態によるコモンモードフィルタ１０Ａを実装基板２に搭載した状態を示す模式的なｘｚ断面図である。
【図９】図９は、本発明の第２の実施形態によるコモンモードフィルタ１０Ｂの外観を示す略斜視図である。
【図１０】図１０は、第２の実施形態における第１及び第２のワイヤＷ１，Ｗ２の巻回レイアウトをより詳細に説明するための模式図である。
【図１１】図１１（ａ）は図１０に示すＡ−Ａ線（第２のエッジＥ２）に沿った略断面図、図１１（ｂ）は図１０に示すＢ−Ｂ線に沿った略断面図、図１１（ｃ）は図１０に示すＣ−Ｃ線（第１のエッジＥ１）に沿った略断面図である。
【図１２】図１２は、本発明の第３の実施形態によるコモンモードフィルタ１０Ｃの外観を示す略斜視図である。
【図１３】図１３（ａ）〜（ｃ）は第１の変形例を説明するための図である。
【図１４】図１４（ａ）〜（ｃ）は第２の変形例を説明するための図である。
【図１５】図１５（ａ）〜（ｃ）は第３の変形例を説明するための図である。
【図１６】図１６（ａ）〜（ｃ）は第４の変形例を説明するための図である。
【図１７】図１７（ａ）〜（ｃ）は第５の変形例を説明するための図である。
【発明を実施するための形態】
【００１８】
以下、添付図面を参照しながら、本発明の好ましい実施形態について詳細に説明する。
【００１９】
＜第１の実施形態＞
図１は、本発明の第１の実施形態によるコモンモードフィルタ１０Ａの外観を示す略斜視図である。
【００２０】
図１に示すように、本実施形態によるコモンモードフィルタ１０Ａは、ドラム型コア２０と、板状コア３０と、第１〜第４の端子電極４１〜４４と、第１及び第２のワイヤＷ１，Ｗ２とを備えている。ドラム型コア２０及び板状コア３０は、Ｎｉ−Ｚｎ系フェライトなど比較的透磁率の高い磁性材料によって構成される。また、第１〜第４の端子電極４１〜４４は、銅などの良導体からなる金具である。
【００２１】
ドラム型コア２０は、第１の鍔部２１と、第２の鍔部２２と、これらの間に設けられた巻芯部２３と有している。巻芯部２３はｘ方向を軸方向とし、その両端にそれぞれ第１及び第２の鍔部２１，２２が設けられ、これらが一体化された構造を有している。板状コア３０は、鍔部２１，２２の上面２１ｔ，２２ｔに接着されている。鍔部２１，２２の上面２１ｔ，２２ｔはｘｙ平面を構成し、その反対側の面は実装面２１ｂ，２２ｂとして用いられる。そして、第１及び第２の端子電極４１，４２は、第１の鍔部２１の実装面２１ｂ及び外側面２１ｓに設けられ、第３及び第４の端子電極４３，４４は、第２の鍔部２２の実装面２２ｂ及び外側面２２ｓに設けられている。外側面２１ｓ，２２ｓは、ｙｚ面を構成する。第１〜第４の端子電極４１〜４４の固定は、接着剤などによって行われる。
【００２２】
第１及び第２のワイヤＷ１，Ｗ２は、巻芯部２３に同方向に巻回されている。そして、第１のワイヤＷ１の一端及び他端はそれぞれ第１及び第３の端子電極４１，４３に接続され、第２のワイヤＷ２の一端及び他端はそれぞれ第２及び第４の端子電極４２，４４に接続される。第１及び第２のワイヤＷ１，Ｗ２のターン数は、互いに同じである。
【００２３】
図２は、第１のワイヤＷ１の巻回レイアウトを説明するための図である。
【００２４】
図２に示すように、ドラム型コア２０の巻芯部２３は、第１の鍔部２１側に位置する第１の巻回領域Ａ１と、第２の鍔部２２側に位置する第２の巻回領域Ａ２と、第１及び第２の巻回領域Ａ１，Ａ２の間に位置する第３の巻回領域Ａ３を含む。そして、第１のワイヤＷ１は、第１及び第２の巻回領域Ａ１，Ａ２において整列して巻回されている。したがって、第１及び第２の巻回領域Ａ１，Ａ２における第１のワイヤＷ１の巻回ピッチは、第１のワイヤＷ１の径とほぼ等しく、理想的には隣接するターン同士が接触している。特に限定されるものではないが、第１の巻回領域Ａ１における第１のワイヤＷ１のターン数と、第２の巻回領域Ａ２における第１のワイヤＷ１のターン数は、一致していることが好ましい。
【００２５】
一方、第３の巻回領域Ａ３においては、第１のワイヤＷ１の軸方向（ｘ方向）における遷移量が大きく、したがって、第１のワイヤＷ１の延在方向とｙ方向が成す角度は、第１及び第２の巻回領域Ａ１，Ａ２における角度よりも拡大されている。本実施形態においては、第３の巻回領域の表面領域Ｒにおいて第１のワイヤＷ１が大きく遷移している。ここで、表面領域Ｒとは、巻芯部２３の第１のエッジＥ１と第２のエッジＥ２に挟まれた表面のうち、第３の巻回領域Ａ３に属する表面を指し、本実施形態においてはｘｙ平面を構成する。第１及び第２のエッジＥ１，Ｅ２はいずれもｘ方向に延在する角部である。図２に示すように、第１のワイヤＷ１のうち上述した表面領域Ｒ上に位置する部分は、第１の区間Ｓ１を構成する。特に限定されるものではないが、表面領域Ｒは実装面２１ｂ，２２ｂと同方向を向く面であることが好ましい。
【００２６】
図３は、第２のワイヤＷ２の巻回レイアウトを説明するための図である。
【００２７】
図３に示すように、第２のワイヤＷ２は、第１及び第２の巻回領域Ａ１，Ａ２において第１のワイヤＷ１上に巻回されている。好ましくは、第１のワイヤＷ１の隣接ターンによって形成される谷線に沿って、第２のワイヤＷ２が巻回されている。したがって、第１及び第２の巻回領域Ａ１，Ａ２における第２のワイヤＷ２の巻回ピッチは、第２のワイヤＷ２の径とほぼ等しく、理想的には隣接するターン同士が接触している。特に限定されるものではないが、第１の巻回領域Ａ１における第２のワイヤＷ２のターン数と、第２の巻回領域Ａ２における第２のワイヤＷ２のターン数は、一致していることが好ましい。
【００２８】
一方、第３の巻回領域Ａ３においては、第２のワイヤＷ２が第１のワイヤＷ１を跨ぐようにして両者が交差している。より具体的には、第２のワイヤＷ２のうち上述した表面領域Ｒ上に位置する部分を第２の区間Ｓ２とすると、表面領域Ｒ上において第１の区間Ｓ１と第２の区間Ｓ２が交差する。但し、第２の区間Ｓ２の延在方向とｙ方向が成す角度は、第１の区間Ｓ１の延在方向とｙ方向が成す角度よりも小さい。
【００２９】
図４は、第１及び第２のワイヤＷ１，Ｗ２の巻回レイアウトをより詳細に説明するための模式図である。また、図５（ａ）は図４に示すＡ−Ａ線（第２のエッジＥ２）に沿った略断面図、図５（ｂ）は図４に示すＢ−Ｂ線に沿った略断面図、図５（ｃ）は図４に示すＣ−Ｃ線（第１のエッジＥ１）に沿った略断面図、図５（ｄ）は図４に示すＤ−Ｄ線に沿った略断面図である。
【００３０】
図４に示すように、第２の区間Ｓ２の延在方向とｙ方向が成す角度は、第１の区間Ｓ１の延在方向とｙ方向が成す角度よりも十分に小さく、これにより、交差部分の近傍において第１のワイヤＷ１と第２のワイヤＷ２が互いに離間している。本実施形態においては、符号５１で示すように、第１のエッジＥ１上において第１のワイヤＷ１と第２のワイヤＷ２が離間するとともに、符号５２で示すように、第２のエッジＥ２上において第１のワイヤＷ１と第２のワイヤＷ２が離間している。
【００３１】
その結果、交差部分における第１のワイヤＷ１と第２のワイヤＷ２の接触距離が短縮されることから、上方側に位置する第２のワイヤＷ２の巻回位置が安定する。これは、交差部分の中心点においては、第１のワイヤＷ１の直上に第２のワイヤＷ２が位置することから（図５（ｂ）参照）、第２のワイヤＷ２がｘ方向にずれようとする力は働かないが、交差の中心点からｙ方向にやや離れた部分では、第１のワイヤＷ１の傾斜面上に第２のワイヤＷ２が位置することから（図５（ｄ）参照）、第２のワイヤＷ２がｘ方向にずれようとする力Ｐが働く。このような力Ｐは、交差部分における第１の区間Ｓ１と第２の区間Ｓ２の接触距離が長いほど（つまり、第１の区間Ｓ１と第２の区間Ｓ２の成す角度が小さいほど）強くなる。しかしながら、本実施形態においては、第１の区間Ｓ１と第２の区間Ｓ２を第１及び第２のエッジＥ１，Ｅ２において互いに離間させていることから両者の接触距離が短く、力Ｐが弱められる。その結果、交差部分の近傍における第２のワイヤＷ２のずれが抑制される。
【００３２】
図６は、比較例における第１及び第２のワイヤＷ１，Ｗ２の巻回レイアウトをより詳細に説明するための模式図である。また、図７（ａ）は図６に示すＡ−Ａ線（第２のエッジＥ２）に沿った略断面図、図７（ｂ）は図６に示すＢ−Ｂ線に沿った略断面図、図７（ｃ）は図６に示すＣ−Ｃ線（第１のエッジＥ１）に沿った略断面図である。
【００３３】
図６に示す比較例においては、符号５０で示すように、第１のエッジＥ１上において第１のワイヤＷ１と第２のワイヤＷ２が互いに接触しているだけでなく、第２のエッジＥ２上においても第１のワイヤＷ１と第２のワイヤＷ２が互いに接触している。このため、図４に示す実施形態と比べ、第１の区間Ｓ１と第２の区間Ｓ２の成す角度が小さくなり、第１の区間Ｓ１と第２の区間Ｓ２の接触距離が長くなる。その結果、第２の区間Ｓ２のうち、第１の区間Ｓ１の傾斜面上に位置する部分が長くなり、第２のワイヤＷ２がｘ方向にずれようとする力Ｐが強く働き、巻回作業時あるいは巻回後に第２のワイヤＷ２の巻回位置がｘ方向にずれるおそれが生じる。
【００３４】
これに対し、本実施形態においては、第２のワイヤＷ２にずれが生じにくい巻回構造を有していることから、第２のワイヤＷ２の巻回位置をより安定させることが可能となる。また、第２のワイヤＷ２は第１のワイヤＷ１に比べて巻回作業時における位置制御が困難であり、特に、単位ワイヤ長当たりのｘ方向への遷移量が大きくなるほど、巻回作業時に生じるずれが大きくなりやすい。しかしながら、本実施形態においては、第３の巻回領域Ａ３において第２のワイヤＷ２の単位ワイヤ長当たりのｘ方向への遷移量が低減されていることから、この点からも巻回位置のずれを低減することができる。これにより、本実施形態によれば、特性のばらつきが少ないコモンモードフィルタを提供することが可能となる。
【００３５】
図５には、第１及び第２のワイヤＷ１，Ｗ２のターン番号も表記されている。図５においては、第１及び第２のワイヤＷ１，Ｗ２が交差する部分のターン番号を０と定義している。図５に示すように、第１の巻回領域Ａ１においては、交差部分から数えたターン数の等しいワイヤ同士が隣接するよう巻回された第１の巻回ブロックＢ１が形成される。同様に、第２の巻回領域Ａ２においては、交差部分から数えたターン数の等しいワイヤ同士が隣接するよう巻回された第２の巻回ブロックＢ２が形成される。交差部分から数えたターン数の等しいワイヤ同士を隣接させると、交差部分からみた第１のワイヤＷ１と第２のワイヤＷ２の対称性が高まるため、優れた高周波特性を得ることが可能となる。そして、本実施形態においては、交差部分の両側に第１の巻回ブロックＢ１及び第２の巻回ブロックＢ２が形成されることから、非常に優れた高周波特性を得ることが可能となる。
【００３６】
図８は、本実施形態によるコモンモードフィルタ１０Ａを実装基板２に搭載した状態を示す模式的なｘｚ断面図である。
【００３７】
図８に示すように、本実施形態によるコモンモードフィルタ１０Ａを実装基板２に搭載すると、表面領域Ｒと実装基板２が向かい合う状態となる。上述の通り、表面領域Ｒにおいては第１のワイヤＷ１と第２のワイヤＷ２が交差するため、第１及び第２の巻回領域Ａ１，Ａ２における第２のワイヤＷ２の突出量（ｚ方向における高さ）よりも、表面領域Ｒ上における第２のワイヤＷ２の突出量が大きくなる。これは、第１及び第２の巻回領域Ａ１，Ａ２では第２のワイヤＷ２が第１のワイヤＷ１の谷線に沿って巻回される一方、第３の巻回領域Ａ３では第１のワイヤＷ１の直上に第２のワイヤＷ２が位置するからである（図５（ｂ）参照）。このため、第２のワイヤＷ２と実装基板２との距離Ｄ０が第３の巻回領域Ａ３において狭くなり、場合によっては干渉が生じてしまうおそれがある。
【００３８】
このような干渉を防止すべく、本実施形態においては、巻芯部２３のｚ方向における位置を実装面２１ｂ，２２ｂよりも上面２１ｔ，２２ｔ側に偏心させている。つまり、巻芯部２３と上面２１ｔ，２２ｔのｚ方向における距離をＤ１とし、巻芯部２３と実装面２１ｂ，２２ｂのｚ方向における距離をＤ２とした場合、
Ｄ１＜Ｄ２
とすることにより、コモンモードフィルタ１０Ａの全体の高さを高くすることなく、第２のワイヤＷ２と実装基板２との距離Ｄ０を拡大することができ、基板２と第２のワイヤＷ２の干渉を防止することが可能となる。
【００３９】
＜第２の実施形態＞
図９は、本発明の第２の実施形態によるコモンモードフィルタ１０Ｂの外観を示す略斜視図である。
【００４０】
図９に示すように、本実施形態によるコモンモードフィルタ１０Ｂは、第２のワイヤＷ２の巻回レイアウトが相違する点において、第１の実施形態によるコモンモードフィルタ１０Ａと相違している。その他の構成は第１の実施形態によるコモンモードフィルタ１０Ａと同一であることから、同一の要素には同一の符号を付し、重複する説明は省略する。
【００４１】
図１０は、第１及び第２のワイヤＷ１，Ｗ２の巻回レイアウトをより詳細に説明するための模式図である。また、図１１（ａ）は図１０に示すＡ−Ａ線（第２のエッジＥ２）に沿った略断面図、図１１（ｂ）は図１０に示すＢ−Ｂ線に沿った略断面図、図１１（ｃ）は図１０に示すＣ−Ｃ線（第１のエッジＥ１）に沿った略断面図である。図１１には、第１及び第２のワイヤＷ１，Ｗ２のターン番号も表記されている。以降の各図においても同様である。
【００４２】
本実施形態においては、符号５１で示すように、第１のエッジＥ１上においては第１のワイヤＷ１と第２のワイヤＷ２が離間するとともに、符号５０で示すように、第２のエッジＥ２上においては第１のワイヤＷ１と第２のワイヤＷ２が接触している。これに伴い、第１のエッジＥ１上における第１のワイヤＷ１と第２のワイヤＷ２の離間距離は、第１の実施形態よりも拡大されており、第３の巻回領域Ａ３のｘ方向における略中央部に位置している。
【００４３】
本実施形態による巻回レイアウトは、第２のワイヤＷ２を第１のエッジＥ１側から第２のエッジＥ２側に巻回する場合において、特に効果的である。その理由は次の通りである。
【００４４】
まず、第２のワイヤＷ２を第１のエッジＥ１側から第２のエッジＥ２側に巻回すると、第２のワイヤＷ２には巻回作業時に符号Ｑで示す力（遷移方向への力）が常に印加される。一方、交差部分の近傍において第２のワイヤＷ２がずれようとする力Ｐは、第１のエッジＥ１側では力Ｑと同方向、第２のエッジＥ２側では力Ｑと逆方向となる。つまり、第２のエッジＥ２側では力Ｐと力Ｑが相殺されるのに対し、第１のエッジＥ１側では力Ｐと力Ｑが加算されることから、第２のワイヤＷ２のずれは第１のエッジＥ１側にて生じやすくなる。
【００４５】
しかしながら、本実施形態においては、第１のワイヤＷ１と第２のワイヤＷ２の交差位置が第２のエッジＥ２側にオフセットしているため、第１のエッジＥ１側における力Ｐが大幅に弱められ、第１のエッジＥ１側における第２のワイヤＷ２のずれが生じにくくなる。一方、第２のエッジＥ２側においては、上述の通り、力Ｐと力Ｑが相殺されるとともに、交差部分と第２のエッジＥ２との距離が短いことから、第２のエッジＥ２によって第２のワイヤＷ２の位置が保持される。このようなメカニズムにより、第２のワイヤＷ２のずれがより効果的に抑制されることになる。
【００４６】
このように、本実施形態においては、第２のワイヤＷ２の巻回方向を考慮した巻回レイアウトを採用していることから、第２のワイヤＷ２の巻回位置をよりいっそう安定化させることが可能となる。
【００４７】
＜第３の実施形態＞
図１２は、本発明の第３の実施形態によるコモンモードフィルタ１０Ｃの外観を示す略斜視図である。
【００４８】
図１２に示すように、本実施形態によるコモンモードフィルタ１０Ｃは、巻芯部２３のｙｚ断面が六角形であり、これにより第１のエッジＥ１と第２のエッジＥ２の間に第３のエッジＥ３が存在する点において、第２の実施形態によるコモンモードフィルタ１０Ｂと相違している。その他の構成は第２の実施形態によるコモンモードフィルタ１０Ｂと同一であることから、同一の要素には同一の符号を付し、重複する説明は省略する。
【００４９】
第３のエッジＥ３は、第１のエッジＥ１と第２のエッジＥ２の略中間位置に設けられている。つまり、第３のエッジＥ３と第１のエッジＥ１のｙ方向における距離は、第３のエッジＥ３と第２のエッジＥ２のｙ方向における距離と略等しい。第３のエッジＥ３の角度は、第１及び第２のエッジＥ１，Ｅ２の角度よりも十分に大きい。
【００５０】
本実施形態においては、表面領域Ｒが第１のエッジＥ１と第３のエッジＥ３に挟まれた第１の表面領域Ｒ１と、第２のエッジＥ２と第３のエッジＥ３に挟まれた第２の表面領域Ｒ２に分かれており、第１のワイヤＷ１の第１の区間Ｓ１と第２のワイヤＷ２の第２の区間Ｓ２は、第２の表面領域Ｒ２上において互いに交差する。
【００５１】
巻芯部２３に設けられたｘ方向に延在する各エッジは、第１及び第２のワイヤＷ１，Ｗ２の位置を保持する役割を果たす一方、エッジ部分において第１のワイヤＷ１と第２のワイヤＷ２を交差させると、第２のワイヤＷ２の位置ずれが非常に生じやすくなるため、エッジ部分で交差させるべきではない。しかしながら、本実施形態においては、第２のエッジＥ２と第３のエッジＥ３の間に位置する第２の表面領域Ｒ２において第１のワイヤＷ１と第２のワイヤＷ２を交差させていることから、第２のワイヤＷ２の巻回位置をよりいっそう安定化させることが可能となる。
【００５２】
しかも、巻芯部２３のｙｚ断面が六角形であることから、四角形である場合と比べて巻芯部２３の体積が増加する。これにより、磁気特性を高めることも可能となる。さらに、ｙｚ断面を六角形としたことにより第１及び第２のエッジＥ１，Ｅ２の角度も若干拡大されることから、第１及び第２のエッジＥ１，Ｅ２における第１及び第２のワイヤＷ１，Ｗ２の折り曲げ量が緩和される。その結果、巻芯部２３と第１及び第２のワイヤＷ１，Ｗ２との密着性をより高めることも可能となる。
【００５３】
＜変形例＞
図１３（ａ）〜（ｃ）は第１の変形例を説明するための図であり、それぞれ図１１（ａ）〜（ｃ）に示す断面に対応する。
【００５４】
図１３に示す例では、第１の巻回領域Ａ１上においては、第１のワイヤＷ１と第２のワイヤＷ２の同一ターンが隣接するよう巻回された第１の巻回ブロックＢ１が形成される一方、第２の巻回領域Ａ２上においては、第１のワイヤＷ１と第２のワイヤＷ２の同一ターン間に他のターンが介在するよう巻回された第３の巻回ブロックＢ３が形成される。例えば、第１のワイヤＷ１のターン３と第２のワイヤＷ２のターン３との間には、第１のワイヤＷ１のターン２及び第２のワイヤＷ２のターン４が介在する。このようなレイアウトは、図１３（ａ）に示すように、第１のワイヤＷ１のターン０と第２のワイヤＷ２のターン０によって形成される谷線に第２のワイヤＷ２のターン１を配置することによって得られる。
【００５５】
本例においては、第１の巻回領域Ａ１上における巻回レイアウトと第２の巻回領域Ａ２上における巻回レイアウトが互いに異なることから、実装基板２への搭載方向によって高周波特性に差が生じる。これを利用すれば、２種類の高周波特性を有するコモンモードフィルタを提供することが可能となる。
【００５６】
図１４（ａ）〜（ｃ）は第２の変形例を説明するための図であり、それぞれ図１１（ａ）〜（ｃ）に示す断面に対応する。
【００５７】
図１４に示す例では、第１の巻回領域Ａ１上においては第１の巻回ブロックＢ１が形成される一方、第２の巻回領域Ａ２上においては、第１のワイヤＷ１と第２のワイヤＷ２の同一ターンが隣接するよう巻回された第２の巻回ブロックＢ２と、第１のワイヤＷ１と第２のワイヤＷ２の同一ターン間に他のターンが介在するよう巻回された第３の巻回ブロックＢ３が形成される。本例では、第３の巻回ブロックＢ３が第１の巻回ブロックＢ１と第２の巻回ブロックＢ２の間に配置されている。
【００５８】
図１４に示すように、第２の巻回ブロックＢ２を構成する第２のワイヤＷ２（ターン５）と、第３の巻回ブロックＢ３を構成する第２のワイヤＷ２（ターン４）との間には、１ピッチ分のスペースが設けられている。つまり、巻回作業時において第３の巻回ブロックＢ３から第２の巻回ブロックＢ２に遷移する際、第２のワイヤＷ２を１ピッチ分飛ばして巻回している。
【００５９】
本例においても、第１の変形例と同様、２種類の高周波特性を有するコモンモードフィルタを提供することが可能となる。しかも、第１の変形例と比べ、第３の巻回ブロックＢ３を構成するワイヤの範囲が短いことから、差動信号に生じる対称性の崩れを抑えることができる。
【００６０】
図１５（ａ）〜（ｃ）は第３の変形例を説明するための図であり、それぞれ図１１（ａ）〜（ｃ）に示す断面に対応する。
【００６１】
図１５に示す例では、第１の巻回領域Ａ１上においては第１及び第４の巻回ブロックＢ１，Ｂ４が形成される一方、第２の巻回領域Ａ２上においては第２及び第３の巻回ブロックＢ２，Ｂ３が形成される。第４の巻回ブロックＢ４は、第１の巻回ブロックＢ１と同様、第１のワイヤＷ１と第２のワイヤＷ２の同一ターンが隣接するよう巻回されたブロックであるが、第１の巻回ブロックＢ１においては、同一ターンを構成する第１及び第２のワイヤＷ１，Ｗ２のうち第１のワイヤＷ１が交差側（第３の巻回領域Ａ３側）に位置している一方、第４の巻回ブロックＢ４においては、同一ターンを構成する第１及び第２のワイヤＷ１，Ｗ２のうち第２のワイヤＷ２が交差側に位置している。
【００６２】
図１５に示すように、第１の巻回ブロックＢ１を構成する第２のワイヤＷ２と、第４の巻回ブロックＢ４を構成する第２のワイヤＷ２との間には、１ピッチ分のスペースが設けられている。つまり、巻回作業時において第１の巻回ブロックＢ１から第４の巻回ブロックＢ４に遷移する際、第２のワイヤＷ２を１ピッチ分飛ばして巻回している。
【００６３】
本例においても、第１の変形例と同様、２種類の高周波特性を有するコモンモードフィルタを提供することが可能となる。しかも、第１及び第２の巻回領域Ａ１，Ａ２のそれぞれにおいて、第２のワイヤＷ２が１ピッチ分飛ばして巻回されていることから、対称性を高めることも可能となる。
【００６４】
図１６（ａ）〜（ｃ）は第４の変形例を説明するための図であり、それぞれ図１１（ａ）〜（ｃ）に示す断面に対応する。
【００６５】
図１６に示す例では、第１の巻回領域Ａ１上においては第１の巻回ブロックＢ１が形成される一方、第２の巻回領域Ａ２上においては第３及び第５の巻回ブロックＢ３，Ｂ５が形成される。第５の巻回ブロックＢ５は、第２の巻回ブロックＢ２と同様、第１のワイヤＷ１と第２のワイヤＷ２の同一ターンが隣接するよう巻回されたブロックであるが、第２の巻回ブロックＢ２においては、同一ターンを構成する第１及び第２のワイヤＷ１，Ｗ２のうち第２のワイヤＷ２が交差側に位置している一方、第５の巻回ブロックＢ５においては、同一ターンを構成する第１及び第２のワイヤＷ１，Ｗ２のうち第１のワイヤＷ１が交差側に位置している。
【００６６】
図１６に示すように、第３の巻回ブロックＢ３を構成する第２のワイヤＷ２と、第５の巻回ブロックＢ５を構成する第２のワイヤＷ２との間には、２ピッチ分のスペースが設けられている。つまり、巻回作業時において第３の巻回ブロックＢ３から第５の巻回ブロックＢ５に遷移する際、第２のワイヤＷ２を２ピッチ分飛ばして巻回している。
【００６７】
本例においても、２種類の高周波特性を有するコモンモードフィルタを提供することが可能となる。しかも、第２の巻回領域Ａ２において、第２のワイヤＷ２が２ピッチ分飛ばして巻回されていることから、実装基板２への搭載方向による高周波特性の差を拡大することが可能となる。
【００６８】
図１７（ａ）〜（ｃ）は第５の変形例を説明するための図であり、それぞれ図１１（ａ）〜（ｃ）に示す断面に対応する。
【００６９】
図１７に示す例では、第１の巻回領域Ａ１上においては第１及び第４の巻回ブロックＢ１，Ｂ４が形成される一方、第２の巻回領域Ａ２上においては第３及び第５の巻回ブロックＢ３，Ｂ５が形成される。図１７に示すように、巻回作業時において第１の巻回ブロックＢ１から第４の巻回ブロックＢ４に遷移する際には、第２のワイヤＷ２が１ピッチ分飛ばして巻回され、第３の巻回ブロックＢ３から第５の巻回ブロックＢ５に遷移する際には、第２のワイヤＷ２が２ピッチ分飛ばして巻回される。
【００７０】
本例においても、２種類の高周波特性を有するコモンモードフィルタを提供することが可能となる。本変形例が例示するように、第１の巻回領域Ａ１における第２のワイヤＷ２の飛ばし量（１ピッチ）と、第２の巻回領域Ａ２における第２のワイヤＷ２の飛ばし量（２ピッチ）は、互いに異なっていても構わない。
【００７１】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００７２】
２    実装基板
１０Ａ〜１０Ｃ    コモンモードフィルタ
２０    ドラム型コア
２１    第１の鍔部
２２    第２の鍔部
２１ｂ，２２ｂ    実装面
２１ｓ，２２ｓ    外側面
２１ｔ，２２ｔ    上面
２３    巻芯部
３０    板状コア
４１〜４４    端子電極
５０    接触部分
５１，５２    離間部分
Ａ１    第１の巻回領域
Ａ２    第２の巻回領域
Ａ３    第３の巻回領域
Ｂ１    第１の巻回ブロック
Ｂ２    第２の巻回ブロック
Ｂ３    第３の巻回ブロック
Ｂ４    第４の巻回ブロック
Ｂ５    第５の巻回ブロック
Ｅ１    第１のエッジ
Ｅ２    第２のエッジ
Ｅ３    第３のエッジ
Ｐ，Ｑ    力
Ｒ    表面領域
Ｒ１    第１の表面領域
Ｒ２    第２の表面領域
Ｓ１    第１の区間
Ｓ２    第２の区間
Ｗ１    第１のワイヤ
Ｗ２    第２のワイヤ
【図１】
2018120885.tif 000003
【図２】
2018120885.tif 000004
【図３】
2018120885.tif 000005
【図４】
2018120885.tif 000006
【図５】
2018120885.tif 000007
【図６】
2018120885.tif 000008
【図７】
2018120885.tif 000009
【図８】
2018120885.tif 000010
【図９】
2018120885.tif 000011
【図１０】
2018120885.tif 000012
【図１１】
2018120885.tif 000013
【図１２】
2018120885.tif 000014
【図１３】
2018120885.tif 000015
【図１４】
2018120885.tif 000016
【図１５】
2018120885.tif 000017
【図１６】
2018120885.tif 000018
【図１７】
2018120885.tif 000019